(57)【特許請求の範囲】
【請求項１】
物質、特に、化粧品を塗布する器具（１）であって、平らな又は外方に凸状の第１の面を有する支持体と、周縁部が第１の面から距離を隔てたところに位置するように、第１の面の輪郭とは異なる輪郭をもち、且つ、前記支持体に向いている第２の面を備える圧縮可能なアプリケータ部材（１２）とを有し、前記第２の面は、前記第１の面に固定され、前記アプリケータ部材は、前記第２の面の実質的に中央に位置しており、且つ、取り外し不能な態様で支持体に固定された第１の部分と、第１の部分を包囲し、外方に開放した環状溝を構成するように第１の面から間隔を隔て、物質を塗布する間、支持体に向かって曲がることができる第２の部分とを有する、ことを特徴とする器具。
【請求項２】
前記圧縮可能なアプリケータ部材（１２）は、軸線（Ｘ）に対して横方向に全体として平らであり、
第２の部分（１２ｂ）が片持ちされている前記軸線（Ｘ）に垂直に測った最大距離（ｄ）は、前記軸線（Ｘ）に垂直に測ったアプリケータ部材の最大寸法（ｍ）の１／７より大きいか、又は、等しい、ことを特徴とする請求項１に記載の器具。
【請求項３】
前記圧縮可能なアプリケータ部材（１２）は、軸線（Ｘ）に対して横方向に全体として平らであり、
アプリケータ部材は、前記軸線（Ｘ）に沿って測った最大厚さ（ｈ）が、前記軸線（Ｘ）に対して垂直に測ったアプリケータ部材の最も大きな寸法（ｍ）の１／３より小さいか、又は、等しい、ことを特徴とする請求項１又は２に記載の器具。
【請求項４】
支持体は、アプリケータ部材が固定された可撓性部分を有しており、
前記第２の部分は、アプリケータ部材が圧縮されていない場合、支持体と協働して前記軸線（Ｘ）を含む平面内で少なくとも鋭角（ｉ）を形成している、ことを特徴とする請求項１〜３のうちいずれか一に記載の器具。
【請求項５】
アプリケータ部材は、全体として円盤の形をしている、ことを特徴とする請求項３又は４記載の器具。
【請求項６】
第２の部分（１２ｂ）は、外方に凸状の支持体に向いた面を備えている、ことを特徴とする請求項１〜５のうちいずれか一に記載の器具。
【請求項７】
アプリケータ部材は、全体として凸状の塗布面を備えている、ことを特徴とする請求項１〜６のうちいずれか一に記載の器具。
【請求項８】
アプリケータ部材は、全体として凹状の塗布面（３０）を備えている、ことを特徴とする請求項１〜５のうちいずれか一に記載の器具。
【請求項９】
アプリケータ部材は、実質的に平らな塗布面を備えている、ことを特徴とする請求項１〜５のうちいずれか一に記載の器具。
【請求項１０】
アプリケータ部材は、塗布に用いられるフロック加工面（３５）を備えている、ことを特徴とする請求項１〜９のうちいずれか一に記載の器具。
【請求項１１】
アプリケータ部材は、互いに組立てられる少なくとも２つのフォーム層（４１）を有している、ことを特徴とする請求項１〜１０のうちいずれか一に記載の器具。
【請求項１２】
アプリケータ部材は、少なくとも１つの空間キャビティ（４２）を有している、ことを特徴とする請求項１〜１１のうちいずれか一に記載の器具。
【請求項１３】
空間キャビティ（４２）を形成するように、２つのフォーム層（４０，４１）が、互いに組立てられる、ことを特徴とする請求項１２に記載の器具。
【請求項１４】
２つのフォーム層（４０，４１）は、ヒートシールにより、互いに組立てられる、ことを特徴とする請求項１１〜１３のうちいずれか一に記載の器具。
【請求項１５】
２つのフォーム層のうち少なくとも一方は、外側がフロック加工されている、ことを特徴とする請求項１１〜１４のうちいずれか一に記載の器具。
【請求項１６】
前記支持体は前記アプリケータ部材が固定された剛性部分を有し、この剛性部分は、焼結部品（５３）である、ことを特徴とする請求項１〜３のうちいずれか一に記載の器具。
【請求項１７】
可撓性部分は、圧縮可能な要素（５０；５４；６０；６１）を有する、ことを特徴とする請求項４記載の器具。
【請求項１８】
圧縮可能要素は、少なくとも１つのフォーム層（５０）を有する、ことを特徴とする請求項４記載の器具。
【請求項１９】
圧縮可能要素（５０；５４）は、内部が中空である、ことを特徴とする請求項４記載の器具。
【請求項２０】
可撓性部分は、エラストマー壁（５４）を含む、ことを特徴とする請求項４記載の器具。
【請求項２１】
鋭角（ｉ）は、６０°より小さいか又は等しい、ことを特徴とする請求項４のうちいずれか一に記載の器具。
【請求項２２】
支持体（１１；５０；５３；５４；６０，６１）は、物質の入った受け器を閉鎖するクロージャ部材として役立つように形作られている、ことを特徴とする請求項１〜２１のうちいずれか一に記載の器具。
【請求項２３】
支持体（７１）は、少なくとも１つの物質供給オリフィスを有している、ことを特徴とする請求項１〜２２のうちいずれか一に記載の器具。
【請求項２４】
物質、特に化粧品のアプリケータ付き包装器具であって、物質（Ｐ）を収容した受け器（２０；７０）と、請求項１〜２３のうちいずれか一に記載の塗布器具（１０）とから成る、ことを特徴とする器具。
【請求項２５】
アプリケータ部材は、受け器を閉じると圧縮される、ことを特徴とする請求項２４記載の器具。
【請求項２６】
塗布器具は、受け器を実質的に漏止め状態で閉鎖するよう構成されている、ことを特徴する請求項２４又は２５に記載の器具。
【請求項２７】
受け器は篩（５７）を有し、アプリケータ部材は、受け器を閉鎖すると、篩（５７）に接触する、ことを特徴とする請求項２４〜２６のうちいずれか一に記載の器具。
【請求項２８】
塗布器具は、塗布中、受け器（７０）に固定される、ことを特徴とする請求項２４〜２７のうちいずれか一に記載の器具。
【発明の詳細な説明】
【技術分野】
【０００１】
本発明は、物質、特に化粧品を塗布する器具に関し、特に、身体又は顔の広い領域に物質を塗布する器具に関するが、これには限定されない。
【背景技術】
【０００２】
支持体及び支持体に固定されたアプリケータ部材を有する多くの塗布器具が、特に、フランス国特許第２，７９８，６４６号明細書、米国特許第１，１７２，２９３号明細書、米国特許第５，４９２，４２６号明細書及び米国特許第５，６３６，９３１号明細書で知られている。
【０００３】
特に、取っ手部材として役立つと共に受け器のクロージャ部材としても役立つ支持体に固定されたアプリケータ部材を有する塗布器具が知られている。これら器具の中には、アプリケータ部材が平らな面を介して、同様に平らな支持体の壁に固定されているものがある。また、これら器具の中には、アプリケータ部材がエラストマー材料のブロックを覆うフォーム層を有するものもある。
【発明の開示】
【発明が解決しようとする課題】
【０００４】
特に、塗布の際の快適さを向上させることが要望されている。
【課題を解決するための手段】
【０００５】
本発明は、一特徴として、物質、特に、化粧品を塗布する器具（１）であって、支持体と、支持体の面に固定的に取り付けられ、且つ、少なくとも一部が、上記面から距離を隔てたところに位置する周縁部を備えた、圧縮可能なアプリケータ部材（１２）とを有し、上記アプリケータ部材は、上記面の周縁部から距離を隔てたところに延びる固定域を介して支持体に固定されていることを特徴とする器具を提供する。
【０００６】
本発明は、別の特徴として、物質、特に、化粧品を塗布する器具（１）であって、支持体と、支持体の面に固定的に取り付けられ、且つ、少なくとも一部が、上記面から距離を隔てたところに位置する周縁部を備えた、圧縮可能なアプリケータ部材（１２）とを有し、上記面の断面の面積は、上記周縁部の内側の面積より大きいか、又は、等しいことを特徴とする器具を提供する。
【０００７】
本発明は、第３の特徴として、物質、特に化粧品を塗布する器具であって、第１の面を備えた支持体と、上記第１の面に固定された第２の面を備える圧縮可能なアプリケータ部材とを有し、上記第２の面は、第２の面の周縁部の一部が、第１の面から距離を隔てたところに位置するように、第１の面の輪郭とは異なる輪郭のものである、ことを特徴とする器具を提供する。
【０００８】
本発明は、第４の特徴として、物質、特に化粧品を塗布する器具であって、支持体と、軸線に対して横方向に全体として平らな形状の圧縮可能なアプリケータ部材とを有し、上記アプリケータ部材は、支持体に固定された少なくとも第１の部分及び支持体から間隔を隔てて位置する少なくとも第２の部分を有し、上記第２の部分は、アプリケータ部材が圧縮されていない場合、支持体と協働して上記軸線を含む平面内で少なくとも鋭角をなし、また、塗布中、支持体に向かって曲がることができるようにする外方に開放した空間を形成することを特徴とする器具を提供する。
【０００９】
本発明の特徴によれば、上記角度は鋭角であり、第２の部分は、外部に開放すると共に、第２の部分が塗布中、支持体に向かって曲がることができるようにする空間を形成している。
【００１０】
支持体から間隔を置いて位置したアプリケータ部材の第２の部分が塗布中、支持体に向かって曲がることができるので、アプリケータ部材は、塗布中、表面の凹凸の変化にその形状を穏やかに一致させることができる。
これにより、塗布の快適さが向上する。
【００１１】
製品を塗り広げるやり方も又、可撓性の周縁リップを備えていない従来技術の塗布器具で得られるやり方とは異なっている。
【００１２】
第２の部分は、塗布中、少なくとも一部が支持体に支持されるのに適しているのがよい。
一例を挙げると、アプリケータ部材は、全体として円盤の形をしているのがよく、円対称等である。
第２の部分は、支持体に向いていて、外方に凸状の表面を備えるのがよい。
上述の空間は、形状が環状であり、連続していても途切れていてもよい。
【００１３】
第１の部分は、支持体に向いて位置するアプリケータ部材の面の実質的に中央に位置するのがよい。
【００１４】
アプリケータ部材は、支持体に取外し不能な仕方で固定されるものであるのがよい。変形例として、アプリケータ部材は、支持体に取り外し自在な仕方で固定されてもよい。例えば、アプリケータ部材は、ベルクロ（Velcro：登録商標）式の機械的引掛け手段により支持体に固定されるのがよい。
アプリケータ部材は、例えば、全体として凸状、全体として凹状又は実質的に平らな塗布面を備えるのがよい。
【００１５】
アプリケータ部材は、１回分の物質を受け入れるハウジングを有しておらず、特に、アプリケータ部材が、気泡材料から成る場合、アプリケータ部材は、気泡のサイズよりも大きなサイズのハウジングを備えない。
【００１６】
第２の部分は、支持体よりも可撓性が高いものであるのがよい。
【００１７】
アプリケータ部材は、塗布目的のフロック加工面を備えるのがよく、それにより、塗布部材に物質を装填するのが容易になると共に皮膚に対する塗布が易しくなる。
アプリケータ部材は、互いに組立てられる少なくとも２つのフォーム層を有するのがよい。
【００１８】
アプリケータ部材は、空気の入った少なくとも１つの空間キャビティを有するのがよく、これによりアプリケータ部材には可撓性が与えられる。上述の２つのフォーム層を、これらの間に上記キャビティを形成するような仕方で互いに組立てるのがよい。２つのフォーム層を特にヒートシールにより互いに組立てるのがよい。
【００１９】
２つのフォーム層のうち少なくとも一方の外側をフロック加工するのがよい。
フォーム層を互いに組立てることによりアプリケータ部材を形成することは、アプリケータ部材に丸い形をした周囲を与えるのに役立つ。最初は平らなフォーム層を用いることが可能である。
【００２０】
アプリケータ部材を作るのに用いられるフォームを、切欠く前にこれらが平らである間にフロック加工して互いに組立て、それによりアプリケータ部材を形成するのがよく、かくして、高品質のフロック加工部を得ることが容易になる。
【００２１】
支持体は、アプリケータ部材が固定される剛性部分を有するのがよい。この剛性部分は、例えば、焼結部品であるのがよい。
支持体は、アプリケータ部材が固定される可撓性部分を更に有するのがよい。一例を挙げると、可撓性部分は、圧縮可能な要素であるのがよく、この圧縮可能な要素は、少なくとも１つのフォーム層から成ると共に（或いは）例えば内部が中空であるのがよい。
【００２２】
可撓性部分は、エラストマー壁から成っていてもよい。
支持体は、アプリケータ部材が固定される面を備えるのがよく、この面は、種々の形状をしていてもよい。
例えば、支持体は、アプリケータ部材が固定される実質的に平らな面を備えるのがよい。
支持体は又、アプリケータ部材が固定される全体として外方に凸状の面を備えてもよい。
支持体は、アプリケータ部材が固定される中実又は中空の部分を有してもよい。
【００２３】
アプリケータ部材は、上記軸線に沿って測った最大厚さが、上記軸線垂直に測ったアプリケータ部材の最も大きな寸法の１／３より小さいか、又は、等しく、上記最大寸法は、例えば、もしアプリケータ部材が円対称であれば、その最大直径に一致する。
上述の鋭角は、例えば、６０°より小さいか、又は、等しいのがよい。
【００２４】
一例を挙げると、第２の部分が片持ちされている上記軸線に垂直に測った最大距離は、上記軸線に垂直に測ったアプリケータ部材の最大寸法の１／７又は１／４より大きいか、又は、等しいのがよい。
支持体は、物質を収容した受け器のクロージャ部材、例えば、実質的に漏止めのクロージャ部材として役立つよう構成されたものであるのがよい。
支持体は、少なくとも１つの物質供給オリフィスを有するのがよい。
【００２５】
本発明は又、物質、特に化粧品を包装して塗布する器具を提供し、この器具は、上述したような塗布器具と共に物質を収容する受け器を有するものである。
アプリケータ部材は受け器を閉鎖したとき、圧縮されるのがよいが、このようにするかどうかは任意である。
塗布器具は、受け器を実質的に漏止め状態に閉鎖するよう構成されたものであるのがよい。
アプリケータ部材は、受け器を閉鎖すると、篩と接触するのがよい。
塗布器具は、塗布が行なわれている間、受け器に固定されるのがよいが、このようにするかどうかは任意である。
【００２６】
本発明は、別の特徴として、互いに組立てられる少なくとも２つのフォーム層を有するアプリケータ部材を提供し、上記フォーム層のうち一方はフロック加工されるが、このようにするかどうかは任意である。両方の層の外側をフロック加工するのがよい。
２つの層を特にヒートシールによりこれらの周縁部のところで互いに組立てるのがよい。
【００２７】
本発明は、別の特徴として、周縁が互いに組立てられた少なくとも２つのフォーム層を有するアプリケータ部材であって、上記フォーム層相互間には空気入りキャビティが形成されていることを特徴とするアプリケータ部材を提供する。
【００２８】
本発明は別の特徴として、物質、特に化粧品を塗布する器具であって、支持体と、該支持体の中に引っ込むことなく支持体に固定され、且つ、軸線に対して横方向に全体として平らな形状の圧縮可能なアプリケータ部材とを有し、上記アプリケータ部材は、支持体に固定された少なくとも第１の部分及び支持体から間隔を隔てた状態で第１の部分の外部に設けられた第２の部分を更に有し、第２の部分が片持ちされている、上記軸線に垂直に測った最大距離が、上記軸線に垂直に測ったアプリケータ部材の最大寸法の１／７又は１／４より大きいか、又は、等しいことを特徴とする器具を提供する。
【００２９】
本発明は又、別の特徴として、物質、特に化粧品を塗布する器具であって、支持体と、少なくとも一部にフロック加工した外面を有する、圧縮可能なアプリケータ部材とを有し、上記アプリケータ部材は、支持体に固定された少なくとも第１の部分及び支持体から間隔を隔てて位置し、且つ、アプリケータ部材が圧縮されていない場合、塗布中、支持体に向かって曲がることができるようにする外方に開放した空間を形成する少なくとも外側の第２の部分を有する、ことを特徴とする器具を提供する。
【００３０】
本発明は、別の特徴として、物質、特に化粧品を塗布する器具であって、支持体と、圧縮可能なアプリケータ部材とを有し、圧縮可能なアプリケータ部材は、支持体に固定された少なくとも第１の部分と、支持体から間隔を隔てて位置する少なくとも外側の第２の部分と、空気入り空間キャビティとを有していることを特徴とする器具を提供する。
【発明を実施するための最良の形態】
【００３１】
本発明の内容は、添付の図面を参照して本発明の非限定的な実施形態についての以下の詳細な説明を読むと一層よく理解できる。
【００３２】
図１は、本発明の第１の実施形態を構成するアプリケータ付き包装器具を示している。  この器具１は、図２に単独で示された塗布器具１０及び１回分の物質Ｐ、例えば、押し固めたパウダーを収容した本体２１を有する受け器２０を有している。
受け器２０は、物質を使い切ると物質を上昇させることができる可動底部２２を有している。
【００３３】
本発明は、特定の物質には限定されず、本発明は、全ての化粧品やケア製品、例えば、パウダー、ペースト、クリーム、ジェル等に適応できる。
「化粧品」という用語は、ＥＥＣ指令７６／７６６の第６次改定版である１９９３年６月１４日付けＥＥＣ指令９３／３５により定められている製品を意味するよう用いられている。
【００３４】
塗布器具１０は、支持体１１及び支持体１１に固定された圧縮可能なアプリケータ部材１２を有している。
アプリケータ部材１２は、形状が全体として平らであり、図示の例では、軸線Ｘの周りに円盤の形をしている。
軸線Ｘに沿って測ったその厚さｈは、その最大寸法ｍよりもかなり小さい。
【００３５】
図示の例では、支持体１１は、取っ手部材及び受け器２０のクロージャ部材としても役立ち、この目的のため、支持体は、受け器の本体２１のねじ山と対応関係をなして螺着するのに適したねじ山付きスカート１４を有し、この支持体は、密封リップ１５を更に有している。
【００３６】
アプリケータ部材１２は、支持体の壁１６に固定され、この壁は、図示の例では、ねじ山付きスカート１４及び密封リップ１５と一体に作られている。
【００３７】
図示の例では、壁１６は、剛性であり、この壁１６は、凸状の外面１７を備えているが、アプリケータ部材が固定される支持体の部分は、非剛性であると共に（或いは）以下に示すように幾つかの他の形状のものであることは本発明の範囲から逸脱しない。
【００３８】
アプリケータ部材１２は、表面１７の頂部に固定された第１の部分１２ａ及び壁１６から間隔を隔てた状態で第１の部分を包囲した第２の部分１２ｂを備え、この第２の部分１２ｂは、環状溝１８を構成するよう支持体と協働し、この環状溝により第２の部分１２ｂの少なくとも一部は、図３に示すように物質に塗布されている間、支持体に向かって曲がることができる。
【００３９】
図１では、アプリケータ部材１２に圧縮力が加えられていない場合、表面１７と第２の部分１２ｂとのなす角度ｉは鋭角であることが分かる。
壁１６に向いた部分１２ｂの表面部分１９は、凸状である。
【００４０】
凸状の形をした表面１７は、使用中、部分１２ｂの移動量を増大させるのに役立ち、部分１２ｂは、図示の例では、図３で理解できるように少なくとも一部が壁に支持されるのに適している。
【００４１】
壁１６からの部分１２ｂの片持ち距離ｄは、高い度合いの可撓性をアプリケータ部材の周縁領域に与えるよう図２で理解できるように比較的大きいものであるのがよい。
塗布器具１０を受け器２０上の定位置に配置すると、アプリケータ部材１２は圧縮されてもよく、或いは圧縮されなくてもよい。図１で分かるように、アプリケータ部材は、支持体内には引っ込まない。
【００４２】
図４〜図１７を参照して、アプリケータ部材についての種々の構成について説明するが、本発明はこれらには限定されない。
【００４３】
塗布に利用されるアプリケータ部材の表面は、凸状の形状以外の形状を備えてもよく、これは本発明の範囲から逸脱しない。
特に、この表面は、図４に示すように全体として凹状の形をしていてもよく、或いは、図５に示すように実質的に平らな形をしていてもよい。
【００４４】
アプリケータ部材を機械加工するのがよく、このアプリケータ部材は、例えば、図５及び図６に示すように１又は２つの面取り部３１を有する。
アプリケータ部材は、図７に示すようにその表面に織布又は不織布３２を備えるのがよい。
【００４５】
アプリケータ部材は、図８及び図９に示すようにその表面全体又は一部にわたって延びるフロック加工部３５を有してもよい。
アプリケータ部材は、弾性変形可能なフォーム、例えば、連続又は半連続気泡を備えたフォーム、特に、とりわけポリウレタンフォーム、ポリエチレンフォーム、ポリ塩化ビニルフォームから選択されたフォームを有するのがよい。
【００４６】
図１０で理解できるように、アプリケータ部材は、例えばヒートシールによりアプリケータ部材の周縁領域が互いに組立てられる縁部４３を備えた２つのフォーム層４０，４１として作られたものであるのがよい。２つのフォーム層を用いることにより、アプリケータ部材の内部に空気入りキャビティ４２を設けることが容易になり、それにより、増大した可撓性がアプリケータ部材に与えられる。アプリケータ部材を作るのに複数のフォーム層を用いる場合、用いられるフォームは、互いに異なると共に（或いは）種々のサイズの気泡を備えた材料で作られたものであるのがよく、特に、非常に細かい気泡を備えたフォームを用いることが可能である。キャビティは、用いられたフォーム層の気泡のサイズよりも非常に大きなサイズのものである。また、２つのフォーム層を用いることにより、良好な品質のフロック加工部を備えたアプリケータ部材を得ることが容易になる。
【００４７】
切欠き前にフォームが平らである間に、２つのフォーム層のうち少なくとも一方をフロック加工するのがよく、それにより、その表面全体にわたり比較的一様なフロック加工部を得ることができる。フロック加工後、フォーム層を、フロック加工が施され、又はフロック加工が施されていない別のフォーム層と組み合わせるのがよく、フォームは、図１１及び図１２に示すように空間キャビティ４２を形成するのがよいが、このようにするかどうかは任意である。フォーム層の切欠き及び相互組立て作業を、例えば単一のワークステーションで又は製造ライン中で互いに非常に密接して位置する２つのワークステーションで行なうことができる。
【００４８】
アプリケータ部材を種々の方法で支持体に固定することができる。
アプリケータ部材を、例えば接着剤又はヒートシールで取り外し不能に固定するのがよい。
アプリケータ部材は又、例えば図１３に示すようにベルクロ（Velcro：登録商標）式の固定手段により、取り外し可能な仕方で支持体に固定してもよく、この固定は、機械的引掛け手段により互いに協働するのに適した２つの部分４５，４６から成り、例えば、これら部分のうち一方は、ループから成り、他方の部分は、ループに引掛かるのに適したフックから成り、２つの部分４５，４６はそれぞれアプリケータ部材及び支持体にそれぞれ固定される。
【００４９】
変形例として、これら部分のうち一方に代えてループを構成する織布又は不織布の覆いを用いてもよく、かかる部分は、アプリケータ部材の表面上に存在するのがよい。
【００５０】
アプリケータ部材は又、アプリケータ部材をその支持体から引き裂くことなく、例えばユーザが一方のアプリケータ部材を別のもので置き換えることができるようにする目的で、単に十分な力を及ぼすことによりアプリケータ部材を外すことができるよう選択された接着剤により固定してもよい。
用いられる２つのフォーム層は、同一であってもよく、そうでなくてもよい。
【００５１】
アプリケータ部材を支持体に固定する前においては、アプリケータ部材は、外方に凸状の、又は他の形状をした２つの互いに反対側に位置する面を備えた任意的に軸線Ｘ周りに円筒形の円盤の形をしているのがよい。
上述のアプリケータ部材のうち任意の１つを任意的に取り外し自在の仕方で固定できる支持体の種々の実施形態について図１４〜図２２を参照して説明する。
【００５２】
支持体は、図１４に示すように可撓性部分５０を有するのがよく、この可撓性部分は、例えば、その中央領域５１が中空であり、アプリケータ部材１２から見て遠くに位置するその側部が蓋５２に固定されるフォームのブロックにより構成される。
【００５３】
可撓性部分５０は、圧縮可能な材料、例えば、ポリウレタン、ポリエチレン、ポリ塩化ビニル、ポリエステル、ポリエーテル、ポリエチレンビニルアセテートコポリマー、ポリビニルアセテート、天然又は合成ゴムの連続気泡又は半連続気泡フォームから成るのがよいが、かかる材料には限定されない。
【００５４】
支持体は又、可撓性又は剛性の焼結部品５３から成っていてもよい。焼結部品は、特に、エラストマー、熱可塑性エラストマー、ポリ塩化ビニル及びポリエチレンビニルアセテートコポリマーから選択された可撓性材料を焼結することにより構成されたものであるのがよい。
また、アプリケータ部材１２は、エラストマーで作られた壁５４、例えば、蓋５２に装着された壁に固定してもよい。この壁５４は、形状が例えば上述の壁１６と類似しているのがよい。
【００５５】
支持体は、特に図１及び図１４〜図１６に示す実施形態の場合と同様、支持体を受け器に固定するようにする部分を有するのがよいが、支持体が例えば図１７の器具の場合と同様、受け器を閉鎖する蓋とは無関係であることは本発明の範囲から逸脱しない。
この図で理解できるように、支持体は、取っ手として役立ち、受け器を閉鎖するのに用いられる蓋５６とは無関係の要素５５から成っている。
【００５６】
一例を挙げると、受け器は、物質Ｐを収容していて、物質を消費するにつれて次第に下降するハウジング５９と嵌合するのに適したリング５８に固定されている篩５７を有するのがよい。
【００５７】
要素５５には種々の形状、例えば、図１８〜図２０に示す形状を与えることができ、特に、この要素５５は、その長手方向軸線Ｙには平行ではない軸線Ｘを有するのがよい。
要素５５は、その長手方向軸線に垂直に測った寸法が、図１８及び図１９に示すように、アプリケータ部材の軸線Ｘに垂直に測った最大寸法よりも大きいのがよいが、このようにするかどうかは任意である。
【００５８】
アプリケータ部材１２は、例えば、上述したように２つのフォーム層４０，４１を互いに組立てることにより構成されたものであるのがよく、アプリケータ部材を支持体に、固定するのがよく、かかる支持体は、アプリケータ部材に類似し又はこれと同種の少なくとも１つの変形可能な要素、例えば、一連の２つの要素６０，６１によって構成され又はこれらを含み、各要素は、２つの互いに組立てられたフォーム層から成り、かかる２つのフォーム層の間には、空気入りのキャビティ４２が形成されている。
【００５９】
図２１の例では、要素６０，６１は、支持体を構成すると共に取っ手部材として役立ち、図２１の例では、要素６１は、受け器、例えば、上述の受け器２０に固定する蓋５２に固定されている。
【００６０】
アプリケータ部材１２を、軸方向に積み重ねられた互いに異なる種類のフォームのブロック、例えば、互いにくっ付けられたフォームブロック６５，６６に固定するのがよく、例えば、両方のフォームブロックは、同一高さのものであって、例えば約１２ミリメートル（ｍｍ）に等しく、これら両方の直径は同一であり、例えば、約４５ｍｍに等しく、ブロック６５は、アプリケータ１２及びブロック６６よりも圧縮性が高い。アプリケータ部材１２を構成するフォームのブロックは、例えばポリエーテルで作られたものであるのがよく、他方、フォームのブロック６５は、天然ブタジエンゴムで作られ、フォームのブロック６６は、ポリウレタンで作られたものであるのがよい。
【００６１】
上述の例では、アプリケータ部材は、少なくとも使用中、物質の入った受け器から分離可能である。
アプリケータ部材を使用中、物質の入った受け器に固定することは本発明の範囲から逸脱しない。
【００６２】
一例を挙げると、図２４は、例えば圧縮可能な壁を備え、頂端部に支持体構成部分７１を備えた受け器７０を有する器具を示しており、支持体構成部分７１は、物質を塗布するのに用いられるアプリケータ部材の面から見て反対側のその面内へ開口した物質供給用オリフィスを備えている。
【００６３】
アプリケータ部材１２は、物質に対し多孔性の材料で作られたものであるのがよく、物質は、アプリケータ部材を通過することにより塗布面に到達する。
また、アプリケータ部材１２を、図２５に示すように物質の入った受け器に対して動くことのできる支持体８０に固定してもよい。例えば回動させることによりアプリケータ部材を受け器に対して動かすことができるかかる一構造が、フランス国特許出願公開第２，８１４，４４４号明細書に記載されており、かかるフランス国特許出願明細書の記載内容を本明細書の一部を形成するものとしてここに引用する。
【００６４】
アプリケータ部材は、例えば図２５に示す場合に関して実施できるように、例えは１以上の物質出口オリフィスを包囲した着座部に圧接されることにより、物質を収容した受け器の漏止めクロージャを得るのに貢献可能である。
本発明は、上述の実施形態には限定されない。
特に、直ぐ前に述べた実施形態の特徴の全て又はこれらのうち幾つかを本発明の範囲から逸脱せずに互いに組み合わせることができる。
アプリケータ部材の縁部の輪郭は、上述した形状とは異なる形状を備えてもよい。
【００６５】
本明細書全体を通じ、部材個数に関し、「〜を有する又は含む（comprises a ）」という用語は、特段の指定がなければ、「〜を少なくとも一つ有する又は含む（comprises at least of ）」という表現と同義であると解されるべきである。
【図面の簡単な説明】
【００６６】
【図１】本発明の器具の実施形態の概略軸方向断面図である。
【図２】図１の塗布器具を単独で示す図である。
【図３】アプリケータ部材が使用中にどのように変形するかを示す図である。
【図４】とりわけアプリケータ部材の一構成を示す図である。
【図５】とりわけアプリケータ部材の別の構成を示す図である。
【図６】とりわけアプリケータ部材の別の構成を示す図である。
【図７】とりわけアプリケータ部材の別の構成を示す図である。
【図８】とりわけアプリケータ部材の別の構成を示す図である。
【図９】とりわけアプリケータ部材の別の構成を示す図である。
【図１０】とりわけアプリケータ部材の別の構成を示す図である。
【図１１】とりわけアプリケータ部材の別の構成を示す図である。
【図１２】とりわけアプリケータ部材の別の構成を示す図である。
【図１３】取り外し自在に固定されているアプリケータ部材を示す図である。
【図１４】とりわけ支持体の一形態を示す図である。
【図１５】とりわけ支持体の別の形態を示す図である。
【図１６】とりわけ支持体の別の形態を示す図である。
【図１７】とりわけ支持体の別の形態を示す図である。
【図１８】とりわけ支持体の別の形態を示す図である。
【図１９】とりわけ支持体の別の形態を示す図である。
【図２０】とりわけ支持体の別の形態を示す図である。
【図２１】重ね合わせ状態の可撓性円盤を有する塗布器具の略図である。
【図２２】重ね合わせ状態の可撓性円盤を有する塗布器具の略図である。
【図２３】種々の度合いの圧縮性を備える重ね合わせ状態の圧縮可能な要素から成る支持体の部分図である。
【図２４】アプリケータ付き包装器具の一つの他の実施形態の略図である。
【図２５】アプリケータ付き包装器具の別の他の実施形態の略図である。
【図１】
0004430870.tif 000002
【図２】
0004430870.tif 000003
【図３】
0004430870.tif 000004
【図４】
0004430870.tif 000005
【図５】
0004430870.tif 000006
【図６】
0004430870.tif 000007
【図７】
0004430870.tif 000008
【図８】
0004430870.tif 000009
【図９】
0004430870.tif 000010
【図１０】
0004430870.tif 000011
【図１１】
0004430870.tif 000012
【図１２】
0004430870.tif 000013
【図１３】
0004430870.tif 000014
【図１４】
0004430870.tif 000015
【図１５】
0004430870.tif 000016
【図１６】
0004430870.tif 000017
【図１７】
0004430870.tif 000018
【図１８】
0004430870.tif 000019
【図１９】
0004430870.tif 000020
【図２０】
0004430870.tif 000021
【図２１】
0004430870.tif 000022
【図２２】
0004430870.tif 000023
【図２３】
0004430870.tif 000024
【図２４】
0004430870.tif 000025
【図２５】
0004430870.tif 000026